(57)【要約】【課題】  可動パネルが移動して吸込面積が大きくなったときに電気式空気清浄機に通電することができ、可動パネルのみを着脱するときには電気式空気清浄機に通電しないようにした安全な空気調和機を得る。【解決手段】  空気調和器本体１０と、空気調和器本体１０に取り付けられて吸込面積を変化させる可動パネル１と、可動パネル１の下流側に設けられた電気式空気清浄機１１と、可動パネル１が移動して吸込面積が大きくなったときにのみ電気空気清浄機１１と通電するスイッチ装置２０とを備えた。スイッチ装置２０は、可動パネル１に着脱可能かつ連動可能に連結されるキャッチ部２５が一体形成されてシャフト１３に支持されたレバー部２１と、レバー部２１と接触して電気式空気清浄機１１への通電をＯＦＦするスイッチ部１１ａとを備えた。【選択図】        図３
2006097934.tif 000002
【特許請求の範囲】
【請求項１】
空気調和器本体と、該空気調和器本体に取り付けられて吸込面積を変化させる可動パネルと、該可動パネルの下流側に設けられた電気式空気清浄機と、前記可動パネルが移動して吸込面積が大きくなったときにのみ前記電気空気清浄機と通電するスイッチ装置とを備えたことを特徴とする空気調和機。
【請求項２】
前記スイッチ装置は、前記可動パネルに着脱可能かつ連動可能に連結されるキャッチ部が一体に形成されてシャフトに支持されたレバー部と、該レバー部と接触して電気式空気清浄機への通電をＯＦＦするスイッチ部とを備えたことを特徴とする請求項１に記載の空気調和機。
【請求項３】
前記レバー部を支持するシャフトにロック部を設け、前記可動パネルが閉じた状態では前記ロック部が前記レバー部をロックし、前記可動パネルが移動を開始したときは前記レバー部がフリー状態となることを特徴とする請求項２に記載の空気調和機。
【請求項４】
前記スイッチ装置を複数のプレフィルターの間に取り付けたことを特徴とする請求項１〜３のいずれかに記載の空気調和機。
【請求項５】
前記スイッチ装置を熱交換器から幅方向に離れた位置に取り付けたことを特徴とする請求項１〜３のいずれかに記載の空気調和機。
【発明の詳細な説明】
【技術分野】
【０００１】
本発明は、電気式空気清浄機の安全装置を備えた空気調和器に係り、より詳しくは、可動前面パネルが移動して吸込面積が大きくなった状態のときに電気式空気清浄機に通電することができる空気調和器に関するものである。
【背景技術】
【０００２】
吸込面積を変えることができる従来の空気調和機は、電気式空気清浄機に安全装置を備えていないものが多かった（例えば、特許文献１参照）。
また、電気式空気清浄機に安全装置を備えている空気調和器では、前面パネルの脱着をスイッチが検知して電気式空気清浄機の通電を入切し、通電状態において電気式空気清浄機に指などが接触して感電しないようにしていた（例えば、特許文献２参照。）。
【０００３】
【特許文献１】特開２００２−１３０７２８号公報（第２頁、図１）
【特許文献２】特開２００３−２６９７３７号公報（第２頁、図１）
【発明の開示】
【発明が解決しようとする課題】
【０００４】
運転時に前面パネルが移動して吸込口を確保する構造の空気調和機では、運転時に可動前面パネルが移動して吸込面積が大きくなった状態と、フィルター清掃などのために可動前面パネルを外した状態との区別ができないので、フィルター清掃などのために可動前面パネルを外した状態のときにのみ通電を切るようにすることができないという問題があった。また、可動前面パネルを外した状態のときのみ通電を切るためには、可動前面パネルの裏側にシャフト等を可動させるための機構部と、可動しない台座部品を設け、それらすべてを着脱しなければならなかった。
【０００５】
本発明は、上記のよう課題を解決するためになされたもので、可動前面パネルが移動して吸込面積が大きくなったときに電気式空気清浄機に通電することができ、可動前面パネルのみを着脱するときには電気式空気清浄機に通電しないようにした安全な空気調和機を得ることを目的とする。
【課題を解決するための手段】
【０００６】
本発明に係る空気調和器は、空気調和器本体と、該空気調和器本体に取り付けられて吸込面積を変化させる可動パネルと、該可動パネルの下流側に設けられた電気式空気清浄機と、前記可動パネルが移動して吸込面積が大きくなったときにのみ前記電気空気清浄機と通電するスイッチ装置とを備えたものである。
【発明の効果】
【０００７】
本発明に係る空気調和器によれば、可動パネルが移動して吸込面積が大きくなったときに電気式空気清浄機に通電し、可動パネルのみを着脱するときには電気式空気清浄機に通電しないので、安全性を維持することができる。
【発明を実施するための最良の形態】
【０００８】
実施の形態１．
図１は本発明の実施の形態１に係る空気調和器の斜視図、図２は図１の要部の斜視図、図３は図１の要部の縦断面図である。図１において、空気調和器は、空気調和器の本体１０と、本体１０の前面に設けられて前後方向に移動し前側に移動したときに空気調和器の吸い込み面積が大きくなるようにした可動前面パネル１とから構成されている。可動前面パネル１は断面ほぼコ字状をなし、本体１０前面を平面上に覆う平面部１ａと、その両側にあって同方向に折り曲げられた側部１ｂとによって構成されており、この平面部１ａの中央部の近傍の内壁には、ブラケット３に支持されてスイッチ装置のレバー（後述）と係合する軸部２が設けられている。
【０００９】
図２、図３において、空気調和器の本体１０は内部に電気式空気清浄機１１を備え、また本体１０の前面の左右２箇所には、空気中のチリやほこりなどを捕集するプレフィルター１２が取り付けられている。本体１０の前面上部には回動可能に軸支されたシャフト１３が本体１０の前面を横切るようにして幅方向に取り付けられ、その両端部にはシャフト１３に直交してアーム部１４の上端部がそれぞれ固定されている。さらにそれぞれのアーム部１４の外側には可動前面パネル１の側部１ｂ内壁に取り付けた台座１５が配設されており、この台座１５にはアーム部１４の下部が回動自在に取り付けられている。こうして、可動前面パネル１が前側に移動し、これに伴って台座１５が前側に移動したときは、台座１５に軸支されたアーム部１４が台座１５の移動と共に前側に回動し、これに伴ってシャフト１３自体も回動するようになっている。
【００１０】
空気調和器の本体１０の中央部付近で２枚のプレフィルター１２の間には、屈曲部２２がシャフト１３に回動可能に遊嵌されたほぼく字状のレバー部２１が取り付けられてスイッチ装置２０を構成している。そして、屈曲部２２の一方の側に設けられて可動前面パネル１側に位置する第１の腕部２３は可動前面パネル１のキャッチ腕を構成し、他方の側に設けた第２の腕部２４は電気式空気清浄機１１のスイッチ１１ａをＯＮ−ＯＦＦするスイッチ腕を構成する。また、シャフト１３にはこれに連動しレバー部２１の回動を制御するロック部１６が取り付けられている。こうして、可動前面パネル１が閉じた状態にあるときにはレバー部２１はロック状態にあり、可動前面パネル１が前側に移動してシャフト１３がイ方向に回動したときはロックが解除されるようになっている。
【００１１】
第１の腕部２３の下端部近傍には、可動前面パネル１の軸部２と係合するキャッチ部２５が開口している。このキャッチ部２５は、第１、第２、第３の面２６ａ，２６ｂ，２６ｃによって囲まれたほぼコ字状をなし、第１の面２６ａは前側に向かって開くテーパ面を形成し、この面に対向する第３の面２６ｃはその開口部付近に第１の面２６ａ側に突出する突出部２６ｄを備え、可動前面パネル１の軸部２が前側に移動するときは軸部２が係止孔２６の突出部２６ｄに係止して第１の腕部２３を前側に移動させ、可動前面パネル１を斜め上方に動かして本体１０より取り外すときは、軸部２はテーパ状の第１の面２６ａに沿って移動するので、可動前面パネル１を第１の腕部２３より外すことができる。
【００１２】
電気式空気清浄機１１の上部にはスイッチ１１ａが設けられており、可動前面パネル１が前側に移動してレバー部２１がロック部１６に制御されてシャフト１３を中心にしてイ方向に回動すると、第２の腕部２４がスイッチ１１ａを押圧して、電気式空気清浄機１１の通電をＯＦＦする。
なお、電気式空気清浄機１１の後部には、熱交換器１７が配設されている。
【００１３】
次に動作について説明する。図１に示す空気調和器の可動前面パネル１が前側に移動すると、図４に示すように、可動前面パネル１と共に台座１５が前側に移動し、台座１５に取り付けたアーム部１４の下部が、シャフト１３を中心にして前側に引っ張られる。このときシャフト１３に図３に示すイ方向の回動力が働くので、シャフト１３の動きに連動してロック部１６によるレバー部２１のロックが解除される。そして、可動前面パネル１の移動に伴って軸部２に係合するレバー部２１の第１の腕部２３のキャッチ部２５が追従し、図５に示すように、レバー部２１がシャフト５を中心にイ方向に回動する。これにより、レバー部２１の第２の腕部２４がスイッチ１１ａを圧下してＯＮし、電気式空気清浄機１１に通電される。
【００１４】
上記の動作においては、可動前面パネル１が移動して吸込面積が大きくなったときに電気式空気清浄機１１に通電されるが、電気式空気清浄機１１に通電することなく、前面パネル１をスイッチ装置２０がロック状態にあるままで取り外しする場合の動作は、以下に示す通りである。可動前面パネル１が移動する前の初期状態では、図３に示すように、ロック部１６がレバー部２１をロックしている。この状態で可動前面パネル１を斜め上方に引くと、可動前面パネル１の軸部２が、レバー部２１のキャッチ部２５のテーパ状の第１の面２６ａに沿って移動し、キャッチ部２５と軸部２の連結が外れ、図６に示すように、可動前面パネル１を本体１０より取り外すことができる。この際、シャフト１３は回動しないのでロックは解除されず、従ってレバー部２１はイ方向に回動することはない。以上のようにして可動前面パネル１を取り外すと、キャッチ部２５と軸部２の連結が外れるので、スイッチ１１ａは押されず、電気式空気清浄機１１に通電されることはない。
【００１５】
本実施の形態によれば、可動前面パネル１の移動にキャッチ部２５が追従し、レバー部２１がスイッチ１１ａを圧下してＯＮするので、吸込面積が大きくなった状態のときにのみ、電気式空気清浄機１１に通電することができる。
また、可動前面パネル１を取り外すと、キャッチ部２５と軸部２との連結が外れるので、スイッチ１１ａが押されることがなく、電気式空気清浄機１１に通電されることはない。すなわち、可動前面パネル１のみを取り外す場合は、電気式空気清浄機１１の通電をＯＦＦ状態に維持することができ、安全性を確保することができる。
さらに、２枚のプレフィルター１２の間にスイッチ装置２０を設けたので、電気式空気清浄機１１の近傍にスイッチ装置２０が位置することになり、スイッチ１１ａと電気式空気清浄機１１の接続が容易になる。
【００１６】
実施の形態２．
図７は本発明の実施の形態２に係る空気調和器の要部の斜視図である。本実施の形態では、スイッチ装置２０を、空気調和器の幅方向の端部近傍に設けたものである。
その他の構成、作用は、実施の形態１で示した場合と実質的に同様なので説明を省略する。
【００１７】
本実施の形態によれば、熱交換器１７から幅方向に離れた位置にスイッチ装置２０を設けたので、吸込面積を減少させることがない。
【図面の簡単な説明】
【００１８】
【図１】本発明の実施の形態１に係る空気調和器の斜視図である。
【図２】図１の要部の斜視図である。
【図３】図１の要部の縦断面図である。
【図４】図１の作用説明図である。
【図５】図３の作用説明図である。
【図６】図３の他の作用説明図である。
【図７】本発明の実施の形態２に係る空気調和器の要部の斜視図である。
【符号の説明】
【００１９】
１  可動前面パネル、２  軸部、１０  空気調和器の本体、１１  電気式空気清浄機、１１ａ  スイッチ、１２  プレフィルター、１３  シャフト、１６  ロック部、１７  熱交換器、２０  スイッチ装置、２１  レバー部、２５  キャッチ部。
【図１】
2006097934.tif 000003
【図２】
2006097934.tif 000004
【図３】
2006097934.tif 000005
【図４】
2006097934.tif 000006
【図５】
2006097934.tif 000007
【図６】
2006097934.tif 000008
【図７】
2006097934.tif 000009